(57)【要約】【課題】  足置部に足温器を設けたリクライニングチェアを提供する。【解決手段】  足置部４には足温器２１が取り付けられており、使用者は背もたれ部２、座部３、足置部４を好みの位置、角度に調整し、足温器２１内に両足を入れることにより足が暖められ、リラックスしながらテレビを見たり、読書をすることができる。【選択図】図４
2006025984.tif 000002
【特許請求の範囲】
【請求項１】
背もたれ部、座部、足置部を有し、これらの位置の角度を可変するリクライニングチェアにおいて、前記足置部に足先、踵、足首、ふくらはぎを囲んで加温する足温器を取り付けたことを特徴とする足温器付きリクライニングチェア。
【請求項２】
前記足温器は両足を挿入可能な筐体内に発熱体を設けたことを特徴とする請求項１に記載の足温器付きリクライニングチェア。
【請求項３】
前記足温器は前記足置部に対して着脱自在としたことを特徴とする請求項１に記載の足温器付きリクライニングチェア。
【請求項４】
前記足温器の外装部材は芳香性天然木材としたことを特徴とする請求項１に記載の足温器付きリクライニングチェア。
【発明の詳細な説明】
【技術分野】
【０００１】
本発明は、足先、踵、足首、ふくらはぎを温める足温器を備えた足温器付きリクライニングチェアに関するものである。
【背景技術】
【０００２】
居間等でリラックスした姿勢において、テレビを見たり、読書したりする際には、リクライニングチェアを用いることがある。
【発明の開示】
【発明が解決しようとする課題】
【０００３】
しかしながら、従来のリクライニングチェアは足先や足首が寒い場合には、足や膝に毛布を掛けたり、床に電気カーペットを敷く程度であり、冷え性の女性等は十分にリラックスできないという問題点がある。
【０００４】
また、従来から電気により足を暖める足温器が使用されているが、リクライニングチェアでは任意の姿勢で足温器を使用することは困難である。
【０００５】
例えば、特許文献１には椅子用の足温器が開示されているが、通常の椅子に足温箱を取り付け、足を暖めるものであり、足温器を床面に設置して使用するため、座る姿勢が制限され、長時間リラックスしながら足を暖めることはできない。
【０００６】
【特許文献１】特開２００３−７０８２６号公報
【０００７】
本発明の目的は、上述の課題を解消し、リラックスした姿勢で足温器で足を暖めることができる足温器付きのリクライニングチェアを提供することにある。
【課題を解決するための手段】
【０００８】
上述の目的を達成するための本発明に係る足温器付きのリクライニングチェアは、背もたれ部、座部、足置部を有し、これらの位置の角度を可変するリクライニングチェアにおいて、前記足置部に足先、踵、足首、ふくらはぎを囲んで加温する足温器を取り付けたことを特徴とする。
【発明の効果】
【０００９】
本発明に係る足温器付きのリクライニングチェアは、足置部に足温器を設けることにより、足を持ち上げたり伸ばしたリラックス状態において、足先、踵、足首、ふくらはぎ等を暖めることができる。
【発明を実施するための最良の形態】
【００１０】
本発明を図示の実施例に基づいて詳細に説明する。
図１は本実施例におけるリクライニングチェアの側面図を示し、例えばアルミニウム製のフレーム１を骨格部材として、背もたれ部２、座部３、足置部４が設けられている。また、背もたれ部２、座部３、足置部４は柔軟性を有するクッション部材５により覆われている。また、足置部４の下端には足温器を支持するための支持板６が取り付けられている。
【００１１】
図２は本実施例におけるフレーム１の側面図を示し、それぞれ２本の脚フレーム１１、１２、背部フレーム１３とこれらの間に掛け渡された図示しない水平フレームから成っている。脚フレーム１１と脚フレーム１２は回動部１４により連結され、脚フレーム１１の中間部間に座部３が設けられ、脚フレーム１２の先端にはラチェット機構を有する回動部１５を介して足置部４を設ける足置フレーム１６が取り付けられており、支持板６は足置フレーム１６の端部同士を連結した水平フレームに固定されている。
【００１２】
背部フレーム１３は脚フレーム１２の回動部１７に回動自在に接続され、脚フレーム１１上の端部が回動部１８において背部フレーム１３に連結されている。なお回動部１８では、脚フレーム１１の上端部がリクライニング姿勢に応じて摺動し得るようにされている。
【００１３】
脚フレーム１１、１２、背部フレーム１３、足置フレーム１６は片側４つの回動部を関節として、図２（ａ）〜（ｃ）に示すように幾つかの角度、位置に変形可能とされている。これに伴って、背もたれ部２、座部３、足置部４は位置及び角度を変えることができるようになっている。
【００１４】
図３は足温器２１の斜視図を示し、合成樹脂材により略飯盒上の筐体２２が形成されており、筐体２２の内壁には断熱材が設けられ、その内側に例えば面状発熱体を挟んだ不燃性の不織布が貼り付けられている。
【００１５】
また、筐体２２の側面に設けたコネクタには温度、通電時間、電源のオン／オフを設定できるコントローラ２３と、先端にプラグ２４が設けられた電源供給線２５が接続されている。
【００１６】
図４はリクライニングチェアの足置部４に足温器２１を取り付けた状態の斜視図を示している。足温器２１は支持板６に支持され、足置部４の表面及び足温器２１の背面にそれぞれ取り付けられた図示しない平面ファスナにより足置部４上に固定されている。
【００１７】
なお、平面ファスナを用いずに、ねじ、バンド、ロック部材等の固定器具を用いて足温器２１を固定してもよい。
【００１８】
使用者はプラグ２４をコンセントに接続し、リクライニングチェアに座って足温器２１に両足を入れ、コントローラ２３のスイッチを入れて足温器２１の面状発熱体を加熱する。この際に、コントローラ２３、図示しない温度センサを介して例えば３０〜６０℃の範囲で好みの加熱温度や、タイマとして通電時間を設定することができる。
【００１９】
使用者は背もたれ部２、座部３、足置部４を好みの位置、角度に調整し、筐体２２内に両足を入れて暖めながら、リラックスした姿勢でテレビを見たり、読書を楽しむことができる。
【００２０】
また、電源供給線２５とコントローラ２３を分離して設けたため、使用中に加熱温度や加熱時間の設定を変更する際に、その都度起き上がったり、リクライニングチェアから降りる必要がない。
【００２１】
更に、足温器２１の外装部材に檜やさわら等の発香性を有する天然木材を使用することができる。これにより外装部品の板材が加温され、檜やさわら独特の芳香が部屋に立ち込め、使用者は森林浴をしているような気分となり、リラックスすることができる。檜等の木材は加温しなくても芳香は発生するが、加温することにより、更に香りの発生源である檜オイルが揮発し易くなり、より強く発香することになる。
【００２２】
また、外装部品に檜の天然木を使用すれば、檜オイルの消臭、除菌作用により、例えば靴下等を履いたまま使用すると、靴下の悪臭成分が中和され、臭いも少なくなる。
【００２３】
夏季等の足温器２１が不要の場合には、足置部４から取り外すことにより、通常のリクライニングチェアとして使用することもできる。
【産業上の利用可能性】
【００２４】
本実施例においては、リクライニングチェアに足温器を取り付けた場合の説明をしたが、リクライニングチェア式のマッサージ機に適用してもよい。
【００２５】
また、本実施例においては、熱源に面状発熱体を用いたが、他の形式の電気ヒータを用いることもできることは勿論である。
【図面の簡単な説明】
【００２６】
【図１】リクライニングチェアの側面図である。
【図２】リクライニングチェアの骨格の側面図である。
【図３】足温器の斜視図である。
【図４】足温器を取り付けた状態の斜視図である。
【符号の説明】
【００２７】
１  フレーム
２  背もたれ部
３  座部
４  足置部
５  クッション部材
６  支持板
１１、１２  脚フレーム
１３  背部フレーム
１４、１５、１７、１８  回動部
１６  足置フレーム
２１  足温器
２２  筐体
２３  コントローラ
２４  プラグ
２５  電源供給線
【図１】
2006025984.tif 000003
【図２】
2006025984.tif 000004
【図３】
2006025984.tif 000005
【図４】
2006025984.tif 000006